(57)【要約】少なくとも「高電力モード」および「低電力モード」を含む複数のモードで動作可能なデバイス内のおよび／または電子デバイスで使用するための様々な方法、装置、および／または製品に実装されうる技法が提供される。例示の実装では、高電力モードで動作する電子デバイスで、地上ベース送信機から捕捉された信号から取得された少なくとも位相値に少なくとも部分的に基づいて低電力モードに選択的に遷移し得る。例えば、様々な「中間電力モード」および様々な「高電力モード」を含む、１つまたは複数の他の選択可能な電力モードに低電力モードから選択的に遷移する電子デバイスを許容するように実装されるさらなる技法が提供される。【選択図】図１
2015507402.tif 000002
【特許請求の範囲】
【請求項１】
複数の選択可能な電力モードにおいて動作可能なデバイスであり、高電力モードの前記デバイスで、
地上ベース送信機から捕捉した信号からの位相値を含む１つまたは複数の属性値を取得することと、
前記デバイスが特定の環境内にいることを示すプロフィールテストを前記１つまたは複数の属性値が満たすと決定することに応じて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、低電力モードに遷移することと
を備える方法。
【請求項２】
前記デバイスを前記低電力モードに前記遷移することは、前記デバイスが制限された動き状態にあるとの決定に少なくとも部分的に応じることにさらに基づく、
請求項１に記載の方法。
【請求項３】
前記高電力モードの前記デバイスで、前記１つまたは複数の属性値が前記プロフィールテストを満たさないとの決定に応じて、前記デバイスが前記１つまたは複数の属性値の少なくとも部分的に基づいて新しい環境内にいるかどうかを示すことに使用するための新しいプロフィールテストを生成する前記新しい環境を特徴付けることをさらに備える、
請求項１に記載の方法。
【請求項４】
前記低電力モードの前記デバイスで、遷移が生じるという決定に応じて、中間電力モードに遷移することと、
前記中間電力モードの前記デバイスで、前記信号を再捕捉することを試みることと、
前記再捕捉された信号から少なくとも新しい位相信号を取得することと、前記新しい位相値に少なくとも部分的に基づいて前記タイミング回路を再設定することと
をさらに備える請求項１に記載の方法。
【請求項５】
前記低電力モードの前記デバイスで、前記遷移が、時間値、タイミング精度値、慣性センサ値、環境センサ値、バッテリ電力値、前記プロフィールテスト、新しいプロフィールテスト、位置フィックス、またはユーザ入力のうちの少なくとも１つの少なくとも部分的に基づいて生じるかどうか決定することをさらに備える、
請求項４に記載の方法。
【請求項６】
前記中間電力モードの前記デバイスで、前記信号からの強度値を取得することと、前記デバイスが前記強度値に少なくとも部分的に基づいて制限された動き状態であるかどうか決定することと
をさらに備える、請求項４に記載の方法。
【請求項７】
前記中間電力モードの前記デバイスで、少なくとも１つの他の地上ベース送信機から受信した少なくとも１つの他の信号からの少なくとも１つの他の強度値を取得することと、前記デバイスが前記少なくとも１つの他の強度値に少なくとも部分的に基づいて前記制限された動き状態であるかどうか決定することと
をさらに備える、請求項６に記載の方法。
【請求項８】
前記中間電力モードの前記デバイスで、前記信号から周波数ドップラー値を取得することと、前記デバイスが前記周波数ドップラー値に少なくとも部分的に基づいて制限された動き状態であるかどうか決定することと
をさらに備える、請求項４に記載の方法。
【請求項９】
前記デバイスは、前記高電力モードで動作する期間よりも前記中間電力で動作するより少ない電力を使用する、
請求項４に記載の方法。
【請求項１０】
前記複数の信号のための対応する信号安定性値比較に少なくとも部分的に基づいて複数の地上ベース送信機から受信した複数の信号から前記信号を選択することをさらに備える、
請求項１に記載の方法。
【請求項１１】
少なくとも１つの他のデバイスからの前記プロフィールテストの少なくとも一部分を受信すること、または
少なくとも１つの他のデバイスに対する前記プロフィールテストの一部分を送信すること
のうちの少なくとも１つをさらに備える、請求項１に記載の方法。
【請求項１２】
基地局アルマナックの少なくとも一部分に少なくとも部分的に基づいて前記信号を選択することをさらに備える、
請求項１に記載の方法。
【請求項１３】
前記高電力モードの送信機および前記受信機の使用をイネーブルにすることと、前記低電力モードの前記送信機および前記受信機の使用をディスエーブルにすることと、前記中間電力モードの前記送信機の使用をディスエーブルにすることおよび前記受信機の使用をイネーブルにすることと
をさらに備える、請求項４に記載の方法。
【請求項１４】
前記中間電力モードにおいて、
送信機の使用をディスエーブルにすることと、前記受信機の使用をディスエーブルにすることと、慣性センサ、または環境センサのうちの少なくとも１つの使用をイネーブルにすることと
をさらに備える、請求項１に記載の方法。
【請求項１５】
前記１つまたは複数の属性値を取得することは、慣性センサ、または環境センサのうちの少なくとも１つからの１つまたは複数の信号から前記１つまたは複数の属性値のうちの少なくとも１つを取得することをさらに備える、
請求項１に記載の方法。
【請求項１６】
前記高電力モードの前記デバイスで、
同じ場所にいない少なくとも２つの地上ベース送信機によって送信された少なくとも２つの信号から少なくとも２つの位相値を取得することと、
前記プロフィールテストが前記少なくとも２つの位相値の間の差に少なくとも部分的に基づいて満たすかどうか決定することと
をさらに備える、請求項１に記載の方法。
【請求項１７】
前記高電力モードの前記デバイスで、
前記高電力モードの送信機および前記受信機の使用をイネーブルにすることと、
前記送信機を介して少なくとも１つの他のデバイスと通信することと
をさらに備える、請求項１に記載の方法。
【請求項１８】
複数の選択可能な電力モードにおいて動作可能なデバイスで使用するための装置であって、
高電力モードの前記デバイスで、
地上ベース送信機から捕捉した信号からの位相値を含む１つまたは複数の属性値を取得するための手段と、
前記デバイスが特定の環境内にいることを示すプロフィールテストを前記１つまたは複数の属性値が満たすと決定することに応じて低電力モードに遷移するための手段と
を備え、前記低電力モードにおいて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、
装置。
【請求項１９】
前記デバイスを前記低電力モードに前記遷移するための手段は、前記デバイスが制限された動き状態にあるとの決定に少なくとも部分的に応じることにさらに基づく、
請求項１８に記載の装置。
【請求項２０】
前記高電力モードの前記デバイスで、
前記１つまたは複数の属性値が前記プロフィールテストを満たさないとの決定に応じて、前記デバイスが前記１つまたは複数の属性値の少なくとも部分的に基づいて新しい環境内にいるかどうかを示すことに使用するための新しいプロフィールテストを生成する前記新しい環境を特徴付けるための手段をさらに備える、
請求項１８に記載の装置。
【請求項２１】
前記低電力モードの前記デバイスで、遷移が生じるという決定に応じて、中間電力モードに遷移するための手段と、
前記中間電力モードの前記デバイスで、前記信号を再捕捉することを試みるための手段と、前記再捕捉された信号から少なくとも新しい位相信号を取得するための手段と、前記新しい位相値に少なくとも部分的に基づいて前記タイミング回路を再設定するための手段と
をさらに備える請求項１８に記載の装置。
【請求項２２】
前記低電力モードの前記デバイスで、前記遷移が生じるかどうか決定するための手段をさらに備える、
請求項２１に記載の装置。
【請求項２３】
前記中間電力モードの前記デバイスで、前記信号からの強度値を取得するための手段と、前記デバイスが前記強度値に少なくとも部分的に基づいて制限された動き状態であるかどうか決定するための手段と
をさらに備える、請求項２１に記載の装置。
【請求項２４】
前記中間電力モードの前記デバイスで、少なくとも１つの他の地上ベース送信機から受信した少なくとも１つの他の信号からの少なくとも１つの他の強度値を取得するための手段と、前記デバイスが前記少なくとも１つの他の強度値に少なくとも部分的に基づいて前記制限された動き状態であるかどうか決定するための手段と
をさらに備える、請求項２１に記載の装置。
【請求項２５】
前記中間電力モードの前記デバイスで、前記信号から周波数ドップラー値を取得するための手段と、前記デバイスが前記周波数ドップラー値に少なくとも部分的に基づいて制限された動き状態であるかどうか決定するための手段と
をさらに備える、請求項２１に記載の装置。
【請求項２６】
前記複数の信号のための対応する信号安定性値の比較に少なくとも部分的に基づいて複数の地上ベース送信機から受信した複数の信号から前記信号を選択するための手段をさらに備える、
請求項１８に記載の装置。
【請求項２７】
少なくとも１つの他のデバイスからの前記プロフィールテストの少なくとも一部分を受信するための手段、または少なくとも１つの他のデバイスに対する前記プロフィールテストの一部分を送信するための手段のうちの少なくとも１つをさらに備える、
請求項１８に記載の装置。
【請求項２８】
基地局アルマナックの少なくとも一部分に少なくとも部分的に基づいて前記信号を選択するための手段をさらに備える、
請求項１８に記載の装置。
【請求項２９】
前記高電力モードの送信機および前記受信機の使用をイネーブルにするための手段と、前記低電力モードの前記送信機および前記受信機の使用をディスエーブルにするための手段と、前記中間電力モードの前記受信機の使用をイネーブルにするための手段および前記送信機の使用をディスエーブルにするための手段と
をさらに備える、請求項２１に記載の装置。
【請求項３０】
中間電力モードの前記デバイスで、送信機の使用をディスエーブルにするための手段と、前記受信機の使用をディスエーブルにするための手段と、慣性センサ、または環境センサのうちの少なくとも１つの使用をイネーブルにするための手段と
をさらに備える、請求項１８に記載の装置。
【請求項３１】
慣性センサ、または環境センサのうちの少なくとも１つからの１つまたは複数の信号から前記１つまたは複数の属性値のうちの少なくとも１つを取得するための手段をさらに備える、
請求項１８に記載の装置。
【請求項３２】
前記高電力モードの前記デバイスで、
同じ場所にいない少なくとも２つの地上ベース送信機によって送信された少なくとも２つの信号から少なくとも２つの位相値を取得するための手段と、
前記プロフィールテストが前記少なくとも２つの位相値の間の差に少なくとも部分的に基づいて満たすかどうか決定するための手段と
をさらに備える、請求項１８に記載の装置。
【請求項３３】
複数の選択可能な電力モードにおいて動作可能なデバイスであって、
受信機と、
タイミング回路と、
処理ユニットと
を備え、前記処理ユニットは、高電力モードの前記デバイスで、
地上ベース送信機から前記受信機を介して捕捉した信号からの位相値を含む１つまたは複数の属性値を取得することと、
前記デバイスが特定の環境内にいることを示すプロフィールテストを前記１つまたは複数の属性値が満たすと決定することに応じて、前記受信機の少なくとも一部分がディスエーブルされ、イネーブルなデバイス回路の少なくとも一部分が少なくとも前記位相値に少なくとも部分的に基づいて前記タイミング回路を使用する、低電力モードに前記デバイスを遷移することと
を行う、デバイス。
【請求項３４】
前記処理ユニットは、前記デバイスが制限された動き状態にあるとの決定に少なくとも部分的に応じることにさらに基づいて前記低電力モードに前記デバイスを遷移することをさらに行う、
請求項３３に記載のデバイス。
【請求項３５】
前記処理ユニットは、
前記高電力モードの前記デバイスで、前記１つまたは複数の属性値が前記プロフィールテストを満たさないとの決定に応じて、前記デバイスが前記１つまたは複数の属性値の少なくとも部分的に基づいて新しい環境内にいるかどうかを示すことに使用するための新しいプロフィールテストを生成する前記新しい環境を特徴付けることをさらに行う、
請求項３３に記載のデバイス。
【請求項３６】
前記処理ユニットは、
前記低電力モードの前記デバイスで、遷移が生じるという決定に応じて、中間電力モードに遷移することと、
前記中間電力モードの前記デバイスで、前記受信機を介して前記信号を再捕捉することを試みることと、前記信号から少なくとも新しい位相信号を取得することと、前記新しい位相値に少なくとも部分的に基づいて前記タイミング回路を再設定することと
をさらに行う、請求項３３に記載のデバイス。
【請求項３７】
前記処理ユニットは、前記低電力モードの前記デバイスで、前記遷移が、時間値、タイミング精度値、慣性センサ値、環境センサ値、バッテリ電力値、前記プロフィールテスト、前記新しいプロフィールテスト、位置フィックス、またはユーザ入力のうちの少なくとも１つの少なくとも部分的に基づいて生じるかどうか決定することをさらに行う、
請求項３６に記載のデバイス。
【請求項３８】
前記処理デバイスは、前記中間電力モードの前記デバイスで、前記信号からの強度値を取得することと、前記デバイスが前記強度値に少なくとも部分的に基づいて制限された動き状態であるかどうか決定することと
をさらに行う、請求項３６に記載のデバイス。
【請求項３９】
前記処理デバイスは、前記中間電力モードの前記デバイスで、少なくとも１つの他の地上ベース送信機から受信した少なくとも１つの他の信号からの少なくとも１つの他の強度値を取得することと、前記デバイスが前記少なくとも１つの他の強度値に少なくとも部分的に基づいて前記制限された動き状態であるかどうか決定することと
をさらに行う、請求項３８に記載のデバイス。
【請求項４０】
前記処理デバイスは、前記中間電力モードの前記デバイスで、前記信号から周波数ドップラー値を取得することと、前記デバイスが前記周波数ドップラー値に少なくとも部分的に基づいて制限された動き状態であるかどうか決定することと
をさらに行う、請求項３６に記載のデバイス。
【請求項４１】
前記処理デバイスは、複数の信号のための対応する信号安定性値比較に少なくとも部分的に基づいて複数の地上ベース送信機から受信した前記複数の信号から前記信号を選択することをさらに行う、
請求項３３に記載のデバイス。
【請求項４２】
前記処理デバイスは、前記受信機を介して少なくとも１つの他のデバイスからの前記プロフィールテストの少なくとも一部分を受信することをさらに行う、
請求項３３に記載のデバイス。
【請求項４３】
送信機をさらに備え、前記処理ユニットは、前記送信機を介して少なくとも１つの他のデバイスに対する前記プロフィールテストの一部分の送信を開始することをさらに行う、
請求項３３に記載のデバイス。
【請求項４４】
前記処理ユニットは、基地局アルマナックの少なくとも一部分に少なくとも部分的に基づいて前記信号を選択することをさらに行う、
請求項３３に記載のデバイス。
【請求項４５】
送信機をさらに備え、前記処理ユニットは、前記高電力モードの前記送信機および前記受信機の使用をイネーブルにすることと、前記低電力モードの前記送信機および前記受信機の使用をディスエーブルにすることと、前記中間電力モードの前記送信機の使用をディスエーブルにすることおよび前記受信機の使用をイネーブルにすることと
をさらに行う、請求項３６に記載のデバイス。
【請求項４６】
前記処理ユニットは、送信機の使用をディスエーブルにすることと、前記受信機の使用をディスエーブルにすることと、慣性センサ、または環境センサのうちの少なくとも１つの使用をイネーブルにすることとによって中間電力モードに前記デバイスをおくことをさらに行う、
請求項３３に記載のデバイス。
【請求項４７】
慣性センサ、または環境センサのうちの少なくとも１つをさらに備え、前記処理ユニットは、前記慣性センサ、または前記環境センサのうちの少なくとも１つからの１つまたは複数の信号から前記１つまたは複数の属性値のうちの少なくとも１つを取得することをさらに備える、
請求項３３に記載のデバイス。
【請求項４８】
前記高電力モードの前記デバイスで、前記処理ユニットは、
同じ場所にいない少なくとも２つの地上ベース送信機によって送信された少なくとも２つの信号から前記受信機を介して少なくとも２つの位相値を取得することと、
前記プロフィールテストが前記少なくとも２つの位相値の間の差に少なくとも部分的に基づいて満たすかどうか決定することと
をさらに行う、請求項３３に記載のデバイス。
【請求項４９】
複数の選択可能な電力モードにおいて動作可能なデバイスの処理ユニットによって実行可能なコンピュータ実装可能命令をその上に記憶した非一時的なコンピュータ可読媒体を備え、前記コンピュータ実装可能命令は、
高電力モードの前記デバイスで、
地上ベース送信機から捕捉した信号からの位相値を含む１つまたは複数の属性値を取得することと、
前記デバイスが特定の環境内にいることを示すプロフィールテストを前記１つまたは複数の属性値が満たすと決定することに応じて、前記信号を捕捉するために使用された受信機の少なくとも一部分がディスエーブルされ、イネーブルなデバイス回路の少なくとも一部分が少なくとも前記位相値に少なくとも部分的に基づいてタイミング回路を使用する、低電力モードに遷移することと
を行うように前記処理ユニットによって実行可能である、製品。
【請求項５０】
前記コンピュータ実装可能命令は、前記デバイスが制限された動き状態にあるとの決定に少なくとも部分的に応じることにさらに基づいて前記低電力モードに前記デバイスを遷移することを行うように前記処理ユニットによってさらに実行可能である、
請求項４９に記載の製品。
【請求項５１】
前記コンピュータ実装可能命令は、
前記高電力モードの前記デバイスで、前記１つまたは複数の属性値が前記プロフィールテストを満たさないとの決定に応じて、
前記デバイスが前記１つまたは複数の属性値の少なくとも部分的に基づいて新しい環境内にいるかどうかを示すことに使用するための新しいプロフィールテストを生成する前記新しい環境を特徴付けることを行うように前記処理ユニットによってさらに実行可能である、
請求項４９に記載の製品。
【請求項５２】
前記コンピュータ実装可能命令は、
前記低電力モードの前記デバイスで、遷移が生じるという決定に応じて、中間電力モードに前記デバイスを遷移することと、
前記中間電力モードの前記デバイスで、前記信号を再捕捉することを試みることと、前記信号のための少なくとも新しい位相信号を決定することと、前記新しい位相値に少なくとも部分的に基づいて前記タイミング回路を再設定することと
を行うように前記処理ユニットによってさらに実行可能である、請求項４９に記載の製品。
【請求項５３】
前記コンピュータ実装可能命令は、前記中間電力モードの前記デバイスで、前記信号からの強度値を取得することと、前記デバイスが前記強度値に少なくとも部分的に基づいて制限された動き状態であるかどうか決定することと
を行うように前記処理ユニットによってさらに実行可能である、請求項５２に記載の製品。
【請求項５４】
前記コンピュータ実装可能命令は、前記中間電力モードの前記デバイスで、少なくとも１つの他の地上ベース送信機から受信した少なくとも１つの他の信号からの少なくとも１つの他の強度値を取得することと、前記デバイスが前記少なくとも１つの他の強度値に少なくとも部分的に基づいて前記制限された動き状態であるかどうか決定することと
を行うように前記処理ユニットによってさらに実行可能である、請求項５３に記載の製品。
【請求項５５】
前記コンピュータ実装可能命令は、前記中間電力モードの前記デバイスで、前記信号から周波数ドップラー値を取得することと、前記デバイスが前記周波数ドップラー値に少なくとも部分的に基づいて制限された動き状態であるかどうか決定することと
を行うように前記処理ユニットによってさらに実行可能である、請求項５２に記載の製品。
【請求項５６】
前記コンピュータ実装可能命令は、複数の信号のための対応する信号安定性値の比較、または基地局アルマナックのうちの少なくとも１つに少なくとも部分的に基づいて複数の地上ベース送信機から受信した前記複数の信号から前記信号を選択することを行うように前記処理ユニットによってさらに実行可能である、
請求項４９に記載の製品。
【請求項５７】
前記コンピュータ実装可能命令は、少なくとも１つの他のデバイスからの前記プロフィールテストの少なくとも一部分を受信すること、または少なくとも１つの他のデバイスに対する前記プロフィールテストの一部分を提供することのうちの少なくとも１つを開始することを行うように前記処理ユニットによってさらに実行可能である、
請求項４９に記載の製品。
【請求項５８】
前記コンピュータ実装可能命令は、慣性センサ、または環境センサのうちの少なくとも１つからの１つまたは複数の信号から前記１つまたは複数の属性値のうちの少なくとも１つをさらに取得することを行うように前記処理ユニットによってさらに実行可能である、
請求項４９に記載の製品。
【請求項５９】
前記コンピュータ実装可能命令は、前記高電力モードの送信機および前記受信機の使用をイネーブルにすることと、前記低電力モードの前記送信機および前記受信機の使用をディスエーブルにすることと、前記中間電力モードの前記送信機の使用をディスエーブルにすることおよび前記受信機の使用をイネーブルにすることと
を開始することを行うように前記処理ユニットによってさらに実行可能である、請求項４９に記載の製品。
【請求項６０】
前記コンピュータ実装可能命令は、中間電力モードの前記デバイスで、送信機の使用をディスエーブルにすることと、前記受信機の使用をディスエーブルにすることと、慣性センサ、または環境センサのうちの少なくとも１つの使用をイネーブルにすることとを開始することを行うように前記処理ユニットによってさらに実行可能である、
請求項４９に記載の製品。
【請求項６１】
前記コンピュータ実装可能命令は、前記高電力モードの前記デバイスで、
同じ場所にいない少なくとも２つの地上ベース送信機によって送信された少なくとも２つの信号から少なくとも２つの位相値を取得することと、
前記プロフィールテストが前記少なくとも２つの位相値の間の差に少なくとも部分的に基づいて満たすかどうか決定することと
を行うように前記処理ユニットによってさらに実行可能である、請求項４９に記載の製品。
【発明の詳細な説明】
【関連出願】
【０００１】
本願は、２０１１年１２月１６日に出願された米国非仮特許出願第１３／３２９，１６２号に優先権を主張するＰＣＴ出願であり、その全体が参照により本明細書に組み込まれる。
【０００２】
[0001]本明細書で開示される主題は、電子デバイスに関し、より詳細には、異なる電力モードで選択的に動作しうる電子デバイスで使用するための方法、装置、および製造品（articles of manufacture）に関する。
【背景技術】
【０００３】
[0002]全地球測位システム（ＧＰＳ）および他の同様の衛星測位システム（ＳＰＳ）は、屋外環境にあるデバイスのためのナビゲーションサービスを可能にしている。いくつかの衛星信号が室内環境では容易に受信および／または捕捉されない可能性があるため、位置ロケーションおよび／または他の同様のナビゲーションサービスを可能にするために異なる技法が用いられうる。室内アプリケーションの場合、例えば、特定のデバイスは、知られているロケーションに配置された地上ワイヤレスアクセスポイント（例えば、ＩＥＥＥ規格８０２．１１アクセスポイント、等）へのレンジを測定することによって、位置フィックス（position fix）を取得しうる。そのようなレンジは、例えば、そのようなアクセスポイントから受信された信号からＭＡＣ ＩＤアドレスを取得することと、例えば、ほんのいくつかの例を挙げれば、信号強度、ラウンドトリップ時間（ＲＴＴ）遅延、飛行時間（ＴＯＦ）のような、受信信号の１つまたは複数の特徴を測定することとによって測定されうる。ＳＰＳおよび屋内測位システムに加えて、既存のワイヤレス通信事業者のインフラストラクチャは、適用可能なデバイスのロケーションを推定するための、観測到着時間差(ＯＴＤＯＡ)および／またはアドバンスド順方向リンク三辺測量（ＡＦＬＴ）技法を可能にしうる。例えば、隣接した基地局送信機のロケーションおよび時間基準データについての知識を持った上で、デバイスは、観測された信号伝播遅延に基づいて（例えば、捕捉信号の位相値を時間基準と比較することで）、そのような基地局送信機へのレンジを推定しうる。
【０００４】
[0003]上で識別された測位技法がモバイルハンドセットまたは他のパーソナルナビゲーションデバイスによって用いられているが、そのような測位技法は、アセット追跡タグ、ペットの首輪、子供追跡タグ、および／または、同様のもののようなロケーション追跡デバイスによっても用いられうる。したがって、例えば、ロケーション追跡デバイスは、最新の位置、等を報告するための、ロケーションサーバへのメッセージの送信（例えば、ワイヤレスセルラネットワークを通して）に続いて、上記技法のうち１つ以上を使用して位置フィックスを取得しうる。ロケーション追跡デバイスは、限られたバッテリ容量および／または、場合によっては長期の予期される展開を有しうるため、電気電力使用量を節約することが有益でありうる。
【発明の概要】
【０００５】
[0004]特定の態様に従って、方法は、複数の選択可能な電力モードにおいて動作可能なデバイスで実装され、デバイスが高電力モードで動作し、方法は、地上ベース送信機から捕捉された信号からの位相値を含む１つまたは複数の属性値を取得する。方法の一部として、デバイスが特徴づけられた環境内に存在することを示すプロフィールテストを満たすとの決定に応答して、デバイスは、信号を捕捉するために使用される受信機の少なくとも一部分がディスエーブルされ、イネーブルなデバイス回路の少なくとも一部分が少なくとも位相値の少なくとも一部分に基づいて設定されるタイミング回路を使用する、低電力モードに遷移しうる。
【０００６】
[0005]ある他の態様に従って、装置は、複数の選択可能な電力モードにおいて動作可能なデバイスで使用するために提供されうる。高電力モードで動作するデバイスで、装置は、地上ベース送信機から捕捉された信号からの位相値を含む１つまたは複数の属性値を取得するための手段と、デバイスが特徴付けられた環境内に存在することを示すプロフィールテストを満たすとの決定に応答して、低電力モードに遷移するための手段とを提供し、低電力モードにおいて、信号を捕捉するために使用される受信機の少なくとも一部分がディスエーブルされ、イネーブルなデバイス回路の少なくとも一部分が少なくとも位相値の少なくとも一部分に基づいて設定されるタイミング回路を使用する。
【０００７】
[0006]さらに別の態様に従って、複数の選択可能な電力モードにおいて動作可能なデバイスは、受信機と、タイミング回路と処理ユニットとを備えうる。高電力モードで動作するデバイスで、処理ユニットは、地上ベース送信機から受信機を介して捕捉された信号からの位相値を含む１つまたは複数の属性値を取得しうる。処理ユニットは、デバイスが特徴づけられた環境内に存在することを示すプロフィールテストを満たすとの決定に応答して、受信機の少なくとも一部分がディスエーブルされ、イネーブルなデバイス回路の少なくとも一部分が少なくとも位相値の少なくとも一部分に基づいて設定されるタイミング回路を使用する、低電力モードに遷移しうる。
【０００８】
[0007]、また別の態様に従って、製品において提供され、製品は、複数の選択可能な電力モードにおいて動作可能なデバイスの処理ユニットによって、その中に記憶される実行可能なコンピュータ実装可能な命令を有する非一時的なコンピュータ可読媒体を備える。命令は、高電力モードのデバイスで、地上ベース送信機から受信機を介して捕捉された信号からの位相値を含む１つまたは複数の属性値を取得することを行うように処理ユニットによって実行可能でありうる。命令は、高電力モードのデバイスで、デバイスが特徴付けられた環境内に存在することを示すプロフィールテストを満たすとの決定に応答して、信号を補足するために使用される受信機の少なくとも一部分がディスエーブルされ、イネーブルなデバイス回路の少なくとも一部分が少なくとも位相値の少なくとも一部分に基づいて設定されるタイミング回路を使用する、低電力モードにデバイスを遷移することを行うように処理ユニットによってさらに実行可能でありうる。
【図面の簡単な説明】
【０００９】
[0008]非限定的かつ非包括的な態様が、以下の図に関して説明され、ここで、同様の参照番号は、別途特定されていない限り、様々な図を通じて同様の部分を指す。
【図１】図１は、ある実装にしたがって、異なる動作モード間で選択的に遷移することによって、電力を節約するロケーション追跡デバイスを備える例示的な環境を示す概略図である。
【図２】図２は、ある実装にしたがって、異なる動作モード間で選択的に遷移することによって、電力を節約するために、ロケーション追跡デバイスの形式で、例示的なコンピューティングプラットフォームの特定の特性（feature）を示す概略図である。
【図３】図３は、ある実装にしたがって、環境を特徴付け、その環境内に位置付けられている間に異なる動作モード間で選択的に遷移するために、デバイスで使用するための例示的なプロセスまたは方法の特定の特性を示すフローチャートである。
【図４】図４は、ある実装にしたがって、電力を節約しうる、異なる動作モード間で選択的に遷移するためにデバイスで使用するための例示的なプロセスまたは方法の特定の特性を示すフローチャートである。
【図５】図５は、ある実装にしたがって、異なる動作モード間で選択的に遷移し、これらモードのうちの少なくとも１つで使用されるタイミング回路を設定するための、デバイスで使用するための例示的なプロセスまたは方法の特定の特性を示すフローチャートである。
【図６】図６は、ある実装にしたがって、電力を節約するためにデバイスに実装されうる例示的なモード遷移スキームの特定の特性を示す図である。
【詳細な説明】
【００１０】
[0015]複数のモードで動作することができるポータブル電子デバイスに実装されうる技法が本明細書で提供され、ここで、特定のモードは、デバイスが、電気電力使用量を節約することを可能にしうる。したがって、デバイスの特定の例示的な動作モードは、異なる電力モードを表しているとみなされうる。例えば、デバイスはその動作モードに依存して異なる量の電気電力を使用しうるため、１つまたは複数の動作モードは、「高電力モード（higher power mode）」とみなされ、１つまたは複数の動作モードは、「中間電力モード（medium power mode）」とみなされ、１つまたは複数の動作モードは、「低電力モード」とみなされうる。ここで、示唆されるように、高電力モードで動作するデバイスは、それが中間電力モードまたは低電力モードで動作している場合に使用しうる電気電力よりも多くを使用しうる。同様に、中間電力モードで動作するデバイスは、それが低電力モードしている場合に使用しうる電気電力よりも多くを使用しうる。
【００１１】
[0016]より詳細に本明細書で示されるように、特定の例示的な実装では、デバイスは、その動作的な電力モードに依存して、特定のコンポーネント、回路、および／または機能を、動作的にイネーブルおよびディスエーブルしうる。例えば、デバイスが高電力モードで動作する特定の実装では、デバイスは、１つまたは複数の受信機、１つまたは複数の送信機、１つまたは複数のセンサ、１つまたは複数の発振器（例えば、１つまたは複数のタイミング回路）、等の動作をイネーブルしうる。しかしながら、中間電力モードで動作するそのような例示的なデバイスは、１つまたは複数の受信機および／または１つまたは複数のセンサの動作をイネーブルするが、１つまたは複数の送信機、等の動作をディスエーブルしうる。さらに依然として、低電力モードで動作するそのような例示的なデバイスは、１つまたは複数の受信機、１つまたは複数のセンサ、１つまたは複数の送信機、等の動作をディスエーブルし、一方で、少なくとも、デバイスが、例えば、より後の時点で、別の動作モードに遷移することを可能にするのに十分な回路をイネーブルする。
【００１２】
[0017]この点を考慮に入れて、例えば、バッテリ寿命を改善するためにデバイスにおける電気電力の節約を促進しうる方法で、デバイスをある電力モードから別の電力モードに選択的に遷移するためにデバイスで使用されうる様々な方法および装置が本明細書で説明されるだろう。
【００１３】
[0018]より詳細に本明細書で説明されるように、例示的なデバイスは、そのデバイスが１つまたは複数のオンボード受信機および／または１つまたは複数のオンボードセンサを使用してその環境を特徴付けうる１つまたは複数の電力モードで動作しうる。例えば、環境は、１つまたは複数の受信機によって捕捉された１つまたは複数のＲＦ信号から決定される１つまたは複数の属性値に少なくとも部分的に基づいて特徴付けられうる。例えば、環境は、１つまたは複数のオンボードセンサ（例えば、慣性センサ、環境センサ）によって生成された１つまたは複数の信号から決定される１つまたは複数の属性値に少なくとも部分的に基づいて特徴付けられうる。
【００１４】
[0019]一態様によれば、環境を特徴付ける際、例示的なデバイスは、例えば、１つまたは複数の属性値に基づいて、その環境についての「プロフィールテスト」を確立しうるか、または、場合によっては、別のデバイスからプロフィールテストを取得しうる。プロフィールテストの全体または一部は、それが、対応する環境内に位置付しうるか否かを決定するために、デバイスによって使用されうる。例えば、デバイスは、特定の環境に入る（move into）、および、そこから出る（move out of）可能性があるため、デバイスは、１つまたは複数の捕捉されたＲＦ信号および／または１つまたは複数のセンサから１つまたは複数の属性値を選択的に決定するおよび／または他の方法で取得し、適切な一致が存在するかを決定するために、そのような属性値を、１つまたは複数のプロフィールテストの１つまたは複数の対応条件と比較する。適切な一致が存在する場合（すなわち、プロフィールテストが満たされた場合）、デバイスは、それが、満たされたプロフィールテストに対応する環境内に位置していると推測しうる。反対に、適切な一致がない場合（すなわち、プロフィールテストが少しも満たされなかった場合）、デバイスは、その環境についての新しいプロフィールテストを確立しようと試みうるか、または、場合によっては、その環境についての適用可能なプロフィールテストを別のデバイスから取得しようと試みうる。新しいプロフィールテストが確立または取得されると、それは、将来の使用のためにデバイス内のメモリに記憶され、および／または、別のデバイスに送信されうる。ゆえに、特定の例示的な実装では、デバイスは、その環境を特徴付けるために、必要に応じて、１つまたは複数の電力モードに遷移し、および／または、他の方法で、１つまたは複数のプロフィールテストまたはその一部分を確立、取得、送信、記憶、アクセス、または変更しうる。
【００１５】
[0020]別の態様にしたがって、デバイスにとって、ある電力モードから別の電力モードに特に遷移すること、または、逆に、デバイスが移動中である場合には、ある電力モードから別の電力モードに遷移しないことは、有益でありうる。例えば、特定のデバイスは、デバイスが移動中でありうるとの決定に応答して高電力モードに遷移しうる。例えば、ロケーション追跡デバイスは、移動中の動きを追跡するように設計されうる。しかしながら、他のデバイスは、移動する間、消費電力を減らすように設計されうる。例えば、ロケーション追跡デバイスは、十分な停止の後の、そのロケーション位置の推定および／または報告を待つことで、消費電力を減らすように設計されうる。ゆえに、本明細書でより詳細に説明されるように、特定の例示的な実装では、デバイスは、デバイスが「制約された動き状態」である可能性が高いとの決定に少なくとも部分的に基づいて、ある電力モードから別の電力モードに遷移するか否かを決定しうる。さらに、特定の例示的な実装では、デバイスは、デバイスが「制約された動き状態」である可能性が高いとの決定に少なくとも部分的に基づいて、環境を特徴付けるようと試みるか否かを決定しうる。
【００１６】
[0021]例えば、デバイスは、１つまたは複数の属性値に少なくとも部分的に基づいて、それが制約された動き状態である可能性が高いと決定しうる。例えば、デバイスは、ある時間にわたって任意の変化が起こったか否かを決定するために、捕捉信号についての属性値を比較しうる。変更があることは、デバイスが移動中であり、よって、制約された動き状態である可能性が高くないことを示しうる。例えば、デバイスが移動中である場合、デバイスが送信機のより近くに、または、それから離れるように動くにつれ、捕捉信号に関連する属性値が変更されうることが予期されうる。例えば、捕捉信号についての強度値、位相値、および／または周波数ドップラー値のうち１つ以上は、デバイスが、送信側デバイスに向かって、または、それから離れるように移動するにつれ、ある時間にわたって増加または減少しうる。同様に、デバイスは、デバイスが制約された動き状態でありうるか否かを決定するために、例えば、１つまたは複数のセンサについての１つまたは複数の属性値を、１つまたは複数の適用可能な閾値と比較しうる。例えば、加速度値、知覚速度値、振動値、回転運動値、磁気値、音量値、光量値、温度値、等のうち１つまたは複数は、デバイスが移動中であるまたは制約された動き状態である可能性が高い場合を示しうる対応閾値と比較されうる。特定の例では、そのような閾値は、デバイスが制約された動き状態であることを目的として、デバイスのあらゆる検出可能な動きをほとんど許可しない可能性がある。しかしながら、他の例では、いくつかの閾値は、制約された動き状態でありながら、デバイスが特定の検出可能な動きを経験することを可能にしうる。特定の例では、例えば、検出可能な動きを決定するために、ある閾値の選択は、特定の環境、特定のアプリケーション、および／または同様のもの、あるいは、それらのある組み合わせに関連付けられうる。例えば、あるアプリケーションでは、運動の制限された量は、例えば、電力を節約すること、が許容されうる一方で、他のアプリケーションに対して、よりタイトな制約が提供されうる。同様に、異なる移動検出ストラテジーの電力有効性は、異なって特徴付けられた環境で異なりうる。例えば、ワイヤレス信号は、異なる強度を有し、したがって、そのような信号を受信するために電力の量が変化しうる。同様に、特定の例では、ある発振器の安定性は、例えば、温度に応じて変化しうる。したがって、例えば、他の場合よりある温度で正確なクロックを維持するためにより少ない頻度の検索が可能になりうる。
【００１７】
[0022]このように、デバイスが制約された動き状態である可能性が高いか否かを決定する際に考慮されうる閾値または値の閾値領域は、例えば、単純に、動き制約値と呼ばれうる。特定の例示的な例では、デバイスは、例えば、その推定されたロケーション位置、特徴付けられた環境、動作モード、等にかかわらず、一般的な方法で１つまたは複数の動き制約値を使用しうる。特定の他の例示的な例では、デバイスは、その推定されたロケーション位置、特徴付けられた環境または予期される環境、その動作モード、および／または、同様のもの、あるいは、それらのある組み合わせ、に基づいて、１つまたは複数の特定の動き制約値を使用しうる。ゆえに、例えば、特定の実装では、プロフィールテストは、１つまたは複数の動き制約値を備え、それは、１つまたは複数の属性値に対応し、特定の環境に関係しうる。
【００１８】
[0023]より詳細に以下で説明されるように、高電力モードまたは中間電力モードであるデバイスは、例えば、地上ベース送信機から信号を捕捉し、そのようなものから、位相値のような少なくとも１つの属性値を決定しうる。位相値は、送信側デバイス、および／または、それに動作的に結合されうる他のデバイスで使用されるクロック時間を示しうる。例えば、位相値は、ネットワーク時間または他の同様の同期されたタイミング特徴を示しうる。
【００１９】
[0024]このように、デバイス内のタイミング回路は、そのような位相値に少なくとも部分的に基づいて設定されうる。タイミング回路が設定された場合、および、プロフィールテストが満たされたとの決定に応答して、デバイスは、例えば、信号を捕捉するために使用された受信機の少なくとも一部分がディスエーブルされ、残りのイネーブルなデバイス回路の少なくとも一部分が、設定されたタイミング回路によって生成されるクロック信号に少なくとも部分的に基づいて動作しうる低電力モードに遷移しうる。特定の例示的な実装では、低電力モードへの遷移はさらに、デバイスが制約された動き状態である可能性が高いとの決定を条件としうる。
【００２０】
[0025]例示的なデバイスが低電力モードである場合、続いて、残りのイネーブルなデバイス回路は、例えば、高電力モードまたは中間電力モードのような別の電力モードへの遷移が起こりそうであると決定しうる。というのも、デバイスは、特定のスケジュールにしたがって、低電力モードから遷移するようにプログラムされうるためである。例えば、スケジュールは、デバイスに、位置フィックスを取得すること、１つまたは複数のセンサの使用をイネーブルすること、位置フィックスを報告することを可能するために、または、いくつかの他の理由で、遷移が、何度も、および／または、いくらかの時間の通過後に、起こりそうであると特定しうる。ゆえに、特定の例示的な実装では、デバイスは、時間値（例えば、設定された時間、タイマ期限、等）、および／またはタイミング精度値（例えば、最後に設定されてからのタイミング回路の精度に基づいた）に少なくとも部分的に基づいて、低電力モードからの遷移が起こりそうであると決定しうる。特定の例では、例えば、時間値は、場合によっては、特定の環境を説明するために、プロフィールテストに含まれうる。いくつかの例示的な実装では、デバイスは、慣性センサ値および／または環境センサ値に少なくとも部分的に基づいて、ここで、デバイスが低電力モードである間そのようなセンサがイネーブルであると想定する、低電力モードからの遷移が起こりそうであるか否かを決定しうる。さらに別の例示的な実装では、デバイスは、例えば、バッテリ電力値（例えば、推定または測定されたバッテリ寿命、充電レベル、等に基づいた）、最後の位置フィックス、ユーザ入力、および／または、同様のもの、あるいはそれらの組み合わせのような、利用可能でありうる他の情報に少なくとも部分的に基づいて、低電力モードからの遷移が起こりそうであるか否かを決定しうる。
【００２１】
[0026]ここで図１に注目すると、これは、ある実装にしたがって、２つ以上の動作モードの間でデバイス１０２を選択的に遷移するために使用されうる装置１１６を有する例示的なデバイス１０２を備える例示的な環境１００を示す概略ブロック図である。
【００２２】
[0027]示されるように、環境１００はまた、１つまたは複数のネットワーク１０４、１つまたは複数の他のデバイス１０６、および１つまたは複数の地上ベース送信機１１０を備え、それらすべてまたはいくつかは、１つまたは複数のワイヤレスおよび／またはワイヤード通信リンクを介して互いに動作的に結合されうる。代表的なＳＰＳ １１８も示されており、これは、ＧＮＳＳおよび／または同様のもの備え、デバイス１０２によって受信され、位置ロケーション処理のために使用されうる信号を送信する（例えば、ロケーション受信機１２４を介して）。特定の例示的な例では、送信機１１０は、デバイス１０２のネットワークインターフェース１１４および／またはロケーション受信機１２４によって受信されうる１つまたは複数のワイヤレス信号１１１を送信しうる。特定の例示的な例示では、他のデバイス１０６は、デバイス１０２のネットワークインターフェース１１４によって受信されうる１つまたは複数のワイヤレス信号１０７を送信し、および／または、ネットワークインターフェース１１４によって送信されうる１つまたは複数のワイヤレス信号１０７を受信しうる。特定の例示的な例では、他のデバイス１０６は、ネットワーク１０４とのワイヤード通信リンクを通して１つまたは複数の信号を送信し、および／または、ネットワーク１０４とのワイヤード通信リンクを通して１つまたは複数の信号を受信しうる。特定の例示的な例では、ネットワーク１０４は、デバイス１０２のネットワークインターフェース１１４によって受信されうる１つまたは複数のワイヤレス信号１０５を送信し、および／または、ネットワークインターフェース１１４によって送信されうる１つまたは複数のワイヤレス信号１０７を受信しうる。特定の例では、信号１１１は、アドバンスド順方向リンク三辺測量（ＡＦＬＴ）パイロット信号、セルラ通信ネットワーク信号、ワイヤレス通信ネットワーク信号、ワイヤレスアドホックネットワーク通信信号（例えば、Ｚｉｇｂｅｅ（登録商標）、等）、および／または、同様のものを備えうる。
【００２３】
[0028]本明細書で提供される技法が、様々な異なるタイプの送信機１１０によって送信されうる様々な異なるタイプの信号１１１を活用しうることは理解されるべきである。したがって、いくつかの非限定的な例として、例えば、１つまたは複数の地上ベース送信機は、数例を挙げると、ある形態の連続パイロット信号、ある形態の時間多重化パイロット信号、ある形態の直交周波数分割多重化（ＯＦＤＭ）パイロット信号、いくつかの形態の非同期ビーコンブロードキャスト、ある形態のアドバンスド順方向リンク三辺測量（ＡＦＬＴ）パイロット信号、ある形態の符号分割多元接続（ＣＤＭＡ）パイロット信号、ある形態のセルラ通信ネットワーク信号、ある形態のワイヤレス通信ネットワーク信号、ある形態のワイヤレスアドホックネットワーク通信信号、ある形態のワイヤレスブロードキャストネットワーク信号、ある形態のナビゲーションビーコン信号、および／または、同様のものを送信しうる。
【００２４】
[0029]例として、デバイス１０２は、ユーザによってあちこちに動かされ、および／または、ある方法であちこちに位相されうる他のオブジェクトに取り付けられうる任意の電子デバイスを備え、それは、送信機１１０（例えば、アクセスポイント、セルタワー、ビーコン、衛星、等）、および／または、場合によってはネットワーク１０４内の他のリソース、等によって送信される信号を受信するためのネットワークインターフェース１１４を備えうる。したがって、いくつかの例として、デバイス１０２は、アセット追跡タグ、ペットの首輪、子供追跡タグのようなロケーション追跡デバイス、および／または、同様のものを備えうる。
【００２５】
[0030]装置１１６は、例えば、ハードウェア、ファームウェア、ハードウェアとソフトウェアを組み合わせたもの、およい／または、ファームウェアとソフトウェアを組み合わせたもの、あるいは、例えば、本明細書で説明されるように、デバイス１０２に提供され、デバイス１０２の動作的な電力モードを決定するために少なくとも部分的に使用されうる他の同様のロジックのような回路を示す。
【００２６】
[0031]ネットワーク１０４は、１つまたは複数の通信および／またはコンピューティングリソース（例えば、デバイスおよび／またはサービス）を示し、デバイスは、例えば、１つまたは複数のワイヤードまたはワイヤレス通信リンクを使用するネットワークインターフェース１１４を介して、それらと通信しうるか、または、それを通して通信しうる。したがって、特定の例では、デバイス１０２は、ネットワーク１０４を介して、データおよび／または命令を受信しうる（または、送りうる）。特定の例において、デバイス１０２は、例えば、送信機１１０からの信号を受信するだけでなく、そのような送信機（例えば、受信機を有する）に信号を送信することも行う。
【００２７】
[0032]特定の例示的な実装では、デバイス１０２は、１つまたは複数の送信機１１０および／またはネットワーク１０４に関連付けられうる１つまたは複数のワイヤレス通信ネットワーク、ロケーションサービス、および／または、同様のもの、あるいは、それらの任意の組み合わせ、に関連付けられた信号を受信するためにイネーブルされうる。
【００２８】
[0033]例えば、デバイス１０２は、ワイヤレス広域ネットワーク（ＷＷＡＮ）、ワイヤレスローカルエリアネットワーク（ＷＬＡＮ）、ワイヤレスパーソナルエリアネットワーク（ＷＰＡＮ）、等の、様々なワイヤレス通信ネットワークとともに使用するためにイネーブルされうる（例えば、ネットワークインターフェース１１４を介して）。「ネットワーク」および「システム」という用語は、交換可能に使用されうる。ＷＷＡＮは、符号分割多元接続（ＣＤＭＡ）ネットワーク、時分割多元接続（ＴＤＭＡ）ネットワーク、周波数分割多元接続（ＦＤＭＡ）ネットワーク、直交周波数多元接続（ＯＦＤＭＡ）ネットワーク、単一キャリア周波数分割多元接続（ＳＣ−ＦＤＭＡ）ネットワーク、等でありうる。ＣＤＭＡネットワークは、いくつか無線技術を挙げれば、ｃｄｍａ２０００、広帯域ＣＤＭＡ（Ｗ−ＣＤＭＡ）、時分割同期符号分割多元接続（ＴＤ−ＳＣＤＭＡ）のような１つまたは複数の無線アクセス技術（ＲＡＴ）を実装しうる。ここで、ｃｄｍａ２０００は、ＩＳ−９５、ＩＳ−２０００、およびＩＳ−８５６規格にしたがって実装される技術を含みうる。ＴＤＭＡネットワークは、モバイル通信のためのグローバルシステム（ＧＳＭ（登録商標））、デジタルアドバンスドモバイル電話システム（Ｄ−ＡＭＰＳ）、またはある他のＲＡＴを実装しうる。ＧＳＭおよびＷ−ＣＤＭＡは、「第３世代パートナーシッププロジェクト（３ＧＰＰ）」という名称の団体による文書に記載されている。Ｃｄｍａ２０００は、「第３世代パートナーシッププロジェクト２（３ＧＰＰ２）」という名称の団体による文書に記載されている。３ＧＰＰおよび３ＧＰＰ２の文書は、公に入手可能である。例えば、ＷＬＡＮは、ＩＥＥＥ ８０２.１１ｘネットワークを含み、ＷＰＡＮは、ブルートゥースネットワーク、ＩＥＥＥ ８０２.１５ｘを含みうる。ワイヤレス通信ネットワークは、例えば、ロングタームエボリューション（ＬＴＥ）、アドバンスドＬＴＥ、ＷｉＭＡＸ、ウルトラモバイルブロードバンド（ＵＭＢ）のようないわゆる次世代技術（例えば、「４Ｇ」）、および／または、同様のものを含みうる。
【００２９】
[0034]特定の例示的な実装では、デバイス１０２は、グローバルナビゲーション衛星システム（ＧＮＳＳ）または同様の衛星および／または地上ロケーティングサービス、ロケーションベースサービス（例えば、セルラネットワーク、ＷｉＦｉネットワーク、等を介した）、および／または、同様のもの、あるいは、それらのある組み合わせのような様々なロケーションサービスと使用するために、例えば、ネットワークインターフェース１１４またはロケーション受信機１２４を介してイネーブルされうる。
【００３０】
[0035]１つまたは複数の他のデバイス１０６は、特定の実装では、ネットワークインターフェース１１４に類似したものでありうる１つまたは複数のネットワークインターフェース（示されない）を介して、デバイス１０２および／またはネットワーク１０４に接続しているものとして示されている。他のデバイス１０６は、例えば、１つまたは複数のコンピューティングプラットフォーム、１つまたは複数の他のデバイス、１つまたは複数の電化製品、１つまたは複数の機械、および／または、同様のもの、あるいは、それらのある組み合わせを備えうる。装置１１６は、例えば、１つまたは複数の属性値、１つまたは複数の動き制約値、１つまたは複数のプロフィールテスト、および／または、同様のもの、あるいは、それらのある組み合わせを、１つまたは複数の他のデバイス１０６から取得しうる（ネットワークインターフェース１１４を介して）。
【００３１】
[0036]さらに、装置１１６を用いて、デバイス１０２は、例えば、１つまたは複数の受信機（例えば、ネットワークインターフェース１１４内の、または、１つまたは複数のロケーション受信機１２４）によって捕捉された１つまたは複数のＲＦ信号から１つまたは複数の属性値を決定するおよび／または他の方法で取得しうる。装置１１６を用いて、デバイス１０２は、例えば、１つまたは複数の慣性センサ１２０（例えば、加速度計、ジャイロメータ、ジャイロスコープ、等）、１つまたは複数の環境センサ１２２（例えば、磁気メータ、コンパス、気圧計、温度計、温度プローブ、圧力ゲージ、マイクロフォンまたは他のサウンドトランスデューサ、または、他の光感度センサ、等）、および／または、同様のもの、あるいは、それらのある組み合わせついての１つまたは複数の属性値を決定しうる。
【００３２】
[0037]図２は、ある実装にしたがって、電力を節約する方法で２つ以上の動作モードの間で選択的に遷移するのに使用するためのデバイス１０２の形式で示される例示的なコンピューティングプラットフォーム２００の特定の特性を示す概略ブロック図である。
【００３３】
[0038]示されるように、デバイス１０２は、１つまたは複数の接続２０６を介してメモリ２０４に結合された、データ処理（例えば、本明細書で提供される技法にしたがった）を実行するための１つまたは複数の処理ユニット２０２を備えうる。処理ユニット２０２は、例えば、ハードウェアで、またはハードウェアとソフトウェアを組み合わせたものに実装されうる。処理ユニット２０２は、データコンピューティングプロシージャまたはプロセスの少なくとも一部分を実行するように構成可能な１つまたは複数の回路を示しうる。限定ではない例として、処理ユニットは、１つまたは複数のプロセッサ、コントローラ、マイクロプロセッサ、マイクロコントローラ、特定用途向け集積回路、デジタルシグナルプロセッサ、プログラマブルロジックデバイス、フィールドプログラマブルゲートアレイ、または、同様のもの、あるいは、それらの任意の組み合わせを含みうる。
【００３４】
[0039]メモリ２０４は、任意のデータ記憶メカニズムを示しうる。メモリ２０４は、例えば、プライマリメモリ２０４−１および／またはセカンダリメモリ２０４−２を含みうる。プライマリメモリ２０４−１は、例えば、ランダムアクセスメモリ、読取専用メモリ、等を備えうる。この例では処理ユニットとは離れたものとして示されているが、プライマリメモリの全体または一部が、処理ユニット２０２、または、デバイス１０２内の他の同様な回路内に提供されうるか、あるいは、他の方法でそれらと同じ場所に位置付けられる／それらと結合される、ことは理解されるべきである。セカンダリメモリ２０４−２は、例えば、プライマリメモリ、および／または、ディスクドライブ、実状態メモリドライブ、等のような１つまたは複数のデータ記憶デバイスまたはシステムと同一または同様のタイプのメモリを備えうる。特定の実装では、セカンダリメモリは、コンピュータ読取可能な媒体２５０を動作的に受け入れるか、または、他の方法でそれに結合されるように構成可能である。特定の実装では、セカンダリメモリは、コンピュータ読取可能な媒体２５０を動作的に受け入れるか、または、他の方法でそれに結合されるように構成可能である。
【００３５】
[0040]デバイス１０２は、例えば、１つまたは複数のユーザ入力デバイス２０８、１つまたは複数の出力デバイス２１０、１つまたは複数のネットワークインターフェース１１４、１つまたは複数のロケーション受信機１２４、１つまたは複数の慣性センサ１２０、および／または、１つまたは複数の環境センサ１２２をさらに備えうる。特定の例示的な実装では、環境センサ１２２は、カメラあるいはある他の形態の光感知センサまたはフォト検出器、マイクロフォン、ガスまたは煙検出器、および／または、同様のものを備えうる。
【００３６】
[0041]入力デバイス２０８は、例えば、１つまたは複数のユーザ入力を受信するために使用される、様々なボタン、スイッチ、タッチパッド、トラックボール、ジョイスティック、タッチスクリーン、マイクロフォン、カメラ、および／または、同様のものを備えうる。出力デバイス２１０は、例えば、視覚出力、音声出力、および／または、触知性出力をユーザに対して生成するのに使用されうる様々なデバイスを備えうる。
【００３７】
[0042]ネットワークインターフェース１１４は、例えば、１つまたは複数の通信リンクを介して、例えば、１つまたは複数の送信機１１０および／またはネットワーク１０４（図１）への接続性を提供しうる。ロケーション受信機１２４は、例えば、特定の時間におけるデバイス１０２のロケーションを推定するのに使用されうる信号を１つまたは複数のロケーションサービス、ＳＰＳ、等（示されない）から取得しうる。
【００３８】
[0043]処理ユニット２０２および／または命令２５２は、例えば、装置１１６のようなメモリ２０４に記憶されている１つまたは複数の符号化電気信号を提供するか、または、他の方法でそれに関連付けられうる。何度も、メモリ２０４は、１つまたは複数のモード２１８、１つまたは複数の信号強度値２２０、１つまたは複数の信号タイミング位相値２２２、１つまたは複数のプロフィールテスト２２４、１つまたは複数の時間値２２６（例えば、期間時間、日付、スケジュール、タイマ、等に関連付けられた）、１つまたは複数の精度値２２８（例えば、時間、位置、等に関連付けられた）、１つまたは複数のセンサ関連属性値２３０（例えば、１つまたは複数の慣性または環境センサからの１つまたは複数の測定値に関連付けられた）、１つまたは複数の電力ソース値２３２（例えば、利用可能な残りの電力、使用済み電力、消費電力、特定の閾値電力レベルセッティング／インジケータ、等に関連付けられた）、１つまたは複数の位置フィックス２３４（例えば、地理または他のマップ座標、速度、高度、レンジ、等）、１つまたは複数のユーザ入力２３６（例えば、モード選択、モードオーバーライド、モード選好、オン／オフ、等）、１つまたは複数の周波数ドップラ値２３８、１つまたは複数の位置不確定値２４０、１つまたは複数の時間不確定値２４２、１つまたは複数の信号安定性値２４６、ならびに／あるいは、１つまたは複数のアルマナック（almanac）、隣接リスト、または他の同様のデータコンパイル／ファイル２４８のうちすべてまたは一部、等、ならびに／あるいは、同様のもの、もしくは、例えば、本明細書では様々な例示的な技法で説明されるような、それらの任意の組み合わせ、をある方法で表す１つまたは複数の符号化電気信号を備えうる。
【００３９】
[0044]図２にさらに示されるように、デバイス１０２は、本明細書で様々な例で説明されるように、デバイス１０２が低電力モードである場合に使用されうる、タイミング回路２６０を備えうる。タイミング回路２６０は、低電力モードで使用するためのクロック信号を生成しうる。タイミング回路２６０は、例えば、１つまたは複数の発振器２６１を備えうる。特定の実装では、発振器２６１は、異なる周波数を有する発振器を備え、例えば、低周波数発振器と高周波数発振器は、異なる動作モードをサポートするために提供されうる。特定の例の実装では、タイミング回路２６０は、内蔵クロック時間を進めるために（例えば、基準時間とのクロック時間の同期化の間に）使用されうる音叉水晶発振器および／または同様のものを備えうる。加えて、デバイス１０２は、１つまたは複数の電力ソース２６２を備えうる。例として、特定の例では、電力ソース２６２は、バッテリを備えうる。
【００４０】
[0045]例として簡単に示されるように、電力制御２７０は、接続２０６を介して全体的または部分的に、および／または、デバイス１０２内の別の場所に提供されうる。電力制御２７０は、いくつかの方法でデバイス１０２内の１つまたは複数の回路、受信機、送信機、チップ、センサ、インターフェース、等を選択的にイネーブルまたはディスエーブルするために、処理ユニット２０２（例えば、動作中の装置１１６）に応答しうる。したがって、例えば、電力制御２７０は回路、等の全体または一部を、例えば、動作モードによって定義されるようなある方式でそれをイネーブルまたはディスエーブルするために、選択的に電力アップまたは電力ダウンしうる。ゆえに、例えば、電力制御２７０は、デバイス１０２が低電力モードである場合、ロケーション受信機１２４および／またはネットワークインターフェース１１４の全体または一部を電力ダウンするか、または、他の方法である程度ディスエーブルする。加えて、例えば、電力制御２７０は、デバイス１０２が、例えば、高電力モードまたは中間電力モードといった別のモードである場合、ロケーション受信機１２４ならびに／あるいはインターフェース１１４の受信機および／または送信機の全体または一部を電力アップするか、または、他の方法でイネーブルしうる。したがって、電力制御２７０は、デバイス１０２内の様々な回路をディスエーブルおよび／またはイネーブルするようにサービスし、かつ、デバイス１０２の動作モードに依存して使用されうるか使用されない可能性のある様々なハードウェア、ファームウェア、および／または、例えば、スイッチ、ロジックゲート、等のような他の同様のロジックを備えうる。
【００４１】
[0046]図３は、ある実装にしたがって、デバイスが、ある環境にいる間にそれが取得しうる様々な属性値を既存のプロフィールテストと比較すること、および、必要に応じて、その環境についてそれが学習した内容に基づいて新しいプロフィールテストを確立することを可能にする高電力モードでデバイスが動作している場合に開始する、デバイス１０２で使用するための例示的なプロセスまたは方法３００の特定の特性を示すフローチャートである。
【００４２】
[0047]例示的なブロック３０２において、高電力モードのデバイスで、デバイスは、１つまたは複数の受信機および／または１つまたは複数のセンサを使用して１つまたは複数の属性値を決定しうる。例えば、特定の例では、デバイスは、地上ベース送信機から受信された少なくとも１つの信号についての強度値および／または位相値を決定しうる。例えば、ある形態のパイロット信号は、セルラ通信ネットワークの基地局送信機から受信され、デバイスは、１つまたは複数の受信された信号強度測定値に少なくとも部分的に基づいて決定された強度値を、１つまたは複数の時間位相測定値に少なくとも部分的に基づいて位相値を、および／または、同様のものを決定しうる。特定の例では、例えば、そのような値は、単数値または複数値（singular or plural）、例えば、平均および分散、または、単に、暗示される誤差推定値を有する単一値でありうる。以前に述べられたように、かつ、ブロック３０２に含まれうるように、さらなる属性値は、環境をさらに特徴付けるために、他の受信機および／または様々なセンサを用いて取得されうる測定値、等に基づきうる。
【００４３】
[0048]例示的なブロック３０４において、例えば、ブロック３０２からの属性値のうち少なくとも１つに少なくとも部分的に基づいて、プロフィールテストが満たされるか否かが決定されうる。したがって、例えば、１つまたは複数のプロフィールテストは、プロフィールテストにおいて特定される条件と、ブロック３０２からの対応属性値との間の一致の重要な尤度が存在するか否かを決定すると考えられうる。当業者は、特定の例では、いくつかの属性値および対応テスト条件が、例えば、設計、受信機および／またはセンサの動作能力、ターゲット環境、等に依存して、そのような決定においてより重くまたは軽く重み付けられうることを理解するであろう。また、かなりの可能性の一致とは、必ずしも、すべてのテスト条件についての完全一致に限定されるわけではなく、様々な設計考慮に依存して、かなり低いレベルの確実性を表しうることは、認識されるべきである。
【００４４】
[0049]例示的なブロッ３０６において、少なくとも低電力モードで動作する際にデバイスによって使用されうるタイミング回路が設定されうる。例えば、タイミング回路は、捕捉信号についての位相値に少なくとも部分的に基づいて設定されうる。
【００４５】
[0050]例示的なブロック３０８において、デバイスは、低電力モードに遷移しうる。そのような低電力モードへの遷移は、例えば、ブロック３０４においてプロフィールテストが満たされたこと、および、場合によってはブロック３０６においてタイミング回路が設定されたこと、に少なくとも部分的に基づいて予測されうる。特定の例では、ブロック３１０において、低電力モードへの遷移は、デバイスが制約された動き状態である可能性が高いとの決定に少なくとも部分的に基づいてさらに予測されうる。
【００４６】
[0051]図４は、ある実装にしたがって、デバイスが低電力モードで動作する（例えば、方法３００の結果として）場合に開始する、デバイス１０２で使用するための例示的なプロセスまたは方法４００の特定の特性を示すフローチャートであり、これにより、デバイスは、例えば、中間電力モードまたは高電力モードのような別のモードに、選択的に、周期的におよび／または他の方法で間欠的に遷移することができ、ここでは、１つまたは複数の新しい属性値が決定され、場合によってはある方式で使用されうる。
【００４７】
[0052]例示的なブロック４０２において、低電力モードのデバイスで、遷移が起こりそうであるとの決定に応答して、デバイスは、例えば、中間電力モードまたは場合によっては高電力モードのような別のモードに遷移しうる。例として、デバイスが低電力モードである場合にディスエーブルされている１つまたは複数の受信機および／または１つまたは複数のセンサは中間電力モードまたは高電力モードのデバイスでイネーブルされうるか、または他の方法で使用されうる。ブロック４０４において、低電力モードのデバイスでイネーブルであるデバイス内の回路は、例えば、時間、タイマ、タイミング回路、スケジュール、１つまたは複数の不確定値、モデル関数、統計関数、および／または同様のもの、あるいはそれらの組み合わせに少なくとも部分的に基づいて、遷移が起こりそうであるか否かを決定しうる。
【００４８】
[0053]例示的なブロック４０６において、デバイスが中間電力モード（または、場合によっては高電力モード）である場合、少なくとも新しい位相値を決定するために、以前捕捉された少なくとも１つの信号を再捕捉しようとする試みがなされうる。新しい位相値が決定されると、タイミング回路（例えば、低電力モードで動作する間デバイスによって使用される）は、新しい位相値に少なくとも部分的に基づいて、ある方法で再設定されうるか、または、他の方法で影響を受ける可能性があり、デバイスは、プロフィールテストが満たされたままである場合、低電力モードに遷移しうる。ブロック４０８において、特定の例では、デバイスは、例えば、１つまたは複数の受信機および／または１つまたは複数のセンサについての１つまたは複数の属性値に少なくとも部分的に基づいて、低電力モードに遷移する前にそれが制約された動き状態にある可能性が高いかどうかを決定しうる。
【００４９】
[0054]図５は、ある実装にしたがって、低電力モードのデバイスで使用されうるタイミング回路を設定するためにデバイス１０２での使用のための例示的なプロセスまたは方法５００の特定の特性を示すフローチャートである。
【００５０】
[0055]例示的なブロック５０２において、デバイスは、高電力モードまたは中間電力モードに置かれうる。このように、例えば、例示的なブロック５０４において、少なくとも１つの受信機が、使用のためにイネーブルされうる。
【００５１】
[0056]特定の例示的な実装では、ブロック５０６において、基地局アルマナックおよび／または他の同様の情報が取得されうる。特定の例示的な実装では、ブロック例５０８において、１つまたは複数の予期される信号安定性値、および／または、１つまたは複数の取得された基地局アルマナックにあるような、取得された情報、等、あるいは、それらのある一部分、に少なくとも部分的に基づいて、１つまたは複数のＲＦ信号が選択されうる（例えば、１つまたは複数のイネーブルな受信機による探索および場合によっては捕捉のために）。
【００５２】
[0057]例えば、デバイスは、利用可能なまたは予期される信号に対する対応信号安定性値の比較に少なくとも部分的に基づいて、１つまたは複数の地上ベース送信機から捕捉すべき１つまたは複数の特定の信号を選択しうる。例として、信号安定性値は、受信信号のタイプ、受信信号強度測定値、受信信号位相ドリフト測定値、受信信号周波数、受信信号周波数安定性、受信信号利用性測定値、送信機位置不確定性、送信機レンジ、送信機電力、送信機のタイプ、送信機アンテナのタイプ、および／または、同様のもの、あるいは、それらのある組み合わせを備えうるか、そうでなければ、それらに少なくとも部分的に基づきうる。
【００５３】
[0058]例えば、デバイスは、基地局アルマナックまたは衛星アルマナックおよび／または他の同様のデータコンパイル（例えば、複数の地上ベース送信機のうち少なくとも１つについての）の全体または一部を取得および使用し、セルラおよび／または他の同様の「隣接リスト」として、その基地局アルマナックまたは衛星アルマナックおよび／または他の同様のデータコンパイルに少なくとも部分的に基づいて、１つまたは複数の信号を選択しうる。
【００５４】
[0059]例示的なブロック５１０において、デバイスは、地上ベース送信機から少なくとも第１の信号を捕捉しうる。例示的なブロック５１２において、デバイスは、第１の信号について少なくとも位相値を決定しうる。例示的なブロック５１４において、デバイスは、例えば、例示的なブロック５１２からの位相値に少なくとも部分的に基づいて、タイミング回路（例えば、低電力モードで動作するデバイスで使用される）を設定しうるか、または、他の方法でそれに動作的に影響を及ぼしうる。
【００５５】
[0060]例示的なブロック５１６において、デバイスは、遷移を開始し、デバイスを低電力モードに置きうる。ここで、前に説明されたように、低電力モードで動作するデバイスは、それが高電力モードまたは中間電力モード（および、場合によっては、特定の他の電力モード）である場合よりも電気電力を消費しないことができる。例示的なブロック５１８において、デバイスは、高電力モードのデバイスでイネーブルである少なくとも１つの受信機またはその一部分をディスエーブルしうる。例示的なブロック５２０において、イネーブルなデバイス回路の少なくとも一部分は、場合によってはブロック５１４で設定されたような、タイミング回路を使用して動作されうる。例えば、処理ユニットまたは他の対応ロジック回路の少なくとも一部分は、低電力モードのデバイスでタイミング回路からクロック信号または他の同様の信号を受信しうる。
【００５６】
[0061]次に、図６が参照され、これは、ある実装にしたがって、電力を節約するために、デバイス１０２（図１）に実装されうる例示的なモード遷移スキーム６００の特定の特性を示す図である。
【００５７】
[0062]ここで、例えば、デバイス１０２は、例えば、ブロック５０２（図５）にあるように、高電力モード６０１に置かれ、そのため、ワイヤレス信号を受信および送信しうる。特定の例では、高電力モード６０１は、完全に電源が入れられているモード、初期スタートアップモード、等を表しうる。
【００５８】
[0063]デバイス１０２は、例えば、条件付き矢印６１０によって表される特定の条件に応答して、高電力モード６０１と低電力モード６０２との間で遷移しうる。例えば、デバイス１０２を高電力モード６０１から低電力モード６０２に遷移する矢印６１０は、ブロック３０６、３０８、および／または、３１０（図３）のうちの１つ以上、および／または、ブロック５１６、５１８、および／または５２０（図５）のうちの１つ以上で示されるような条件付きプロセスを表しうる。ゆえに、例えば、デバイス１０２が低電力モード６０２である場合、ワイヤレス信号は、デバイス１０２によって受信または送信されない可能性がある。特定の例では、低電力モード６０２は、高電力モード６０１比べて、消費電力を減らしうるスリープモードを表しうる。
【００５９】
[0064]デバイス１０２は、例えば、条件付き矢印６２０によって表される特定の条件に応答して、低電力モード６０２と中間電力モード６０３との間で遷移しうる。例えば、デバイス１０２を低電力モード６０２から中間電力モード６０３に遷移する矢印６２０は、ブロック４０２および／または４０４（図４）のうち１つ以上で示されるような条件付きプロセスを表しうる。ゆえに、例えば、中間電力モード６０３では、デバイスは、ワイヤレス信号を捕捉はするが、送信しない可能性がある。
【００６０】
[0065]デバイス１０２は、例えば、条件付き矢印６３０によって表される特定の条件に応答して、中間電力モード６０３と低電力モード６０２との間で遷移しうる。例えば、デバイス１０２を中間電力モード６０３から低電力モード６０２に遷移する矢印６３０は、ブロック４０６、４０８、および／または４１０（図４）のうち１つ以上で示されるような条件付きプロセスを表しうる。
【００６１】
[0066]点線６４０で示されるように、特定の実装では、高電力モード６０１は、中間電力モード６０３を備えうる。例えば、高電力モード６０１は、中間電力モード６０３であるような、デバイス１０２に対して、ワイヤレス信号を受信すること、様々なセンサを使用すること等、を許可しうる。そのため、条件付き矢印６２０は、低電力モード６０２から高電力モード６０１への遷移を同様に表し、条件付き矢印６２０は、高電力モード６０１から低電力モード６０２への遷移（条件付き矢印６１０のそれに類似した）を表しうる。実際、特定の例示的な実装では、デバイス１０２は、単純に、２つの動作モード、すなわち、高電力モード６０１および低電力モード６０２を有し、それらは、上述されたように条件付き矢印が適用されうる。
【００６２】
[0067]本明細書で示されるように、いくつかの技術は、ここに示されるように、ポータブル電子デバイスが複数のモードで動作することを可能にする例示の目的で示され、特定のモードは、デバイスが電気電力使用量を節約することを可能にする。実際、説明されるように、デバイスは、変更する入力に応じて様々な時にある動作モードから別の動作モードに選択的に遷移することが可能になりうる。
【００６３】
[0068]さらに例示の目的で、特定の例示の実装では、デバイス１０２は、特定の環境に関しては履歴信号強度情報に少なくとも部分的に基づいて特定の入力にその感度を調整しうる。同様に、特定の例では、デバイス１０２は、動きをテストするために予期される電力レベル閾値を調整し、より良い電力効率動作モードまたはより悪い電力効率動作モードに遷移するかどうか決定する。
【００６４】
[0069]他のさらなる例示の実装では、デバイス１０２は、例えば、特定の環境、等に関してロケーションを制限した仮定または１つまたは複数のスタティックの少なくとも部分的に基づいて信号受信のための１つまたは複数の時間ウィンドウおよび／またはドップラーウィンドウを調整しうる。また別の例実装では、デバイス１０２は、電力効率、ネットワーク効率、および／または、同様のもの、あるいはそれらのある組み合わせに関する考慮すべき事項に少なくとも部分的に基づいて利用可能なアルマナック情報の全てまたは一部を取得する（例えば、ダウンロードする、等）計画を立てうる。例えば、特定の環境は、デバイス１０２が使用するために利用可能な通信リソースの電力有効性によって少なくとも部分的に特徴付けられうる。ダウンロードの時間は、例えば、所与の環境においてデバイスが使用するために利用可能な通信リソースの有効利用を行う意図で、予期されたネットワークローディングまたは他の同様のファクタに基づいて例えば選択されうる。例えば、デバイス１０２が移動中である場合、通信効率は、サービング基地局に対する信号強度に基づいて変化しうる。そのような状況では、現在のアルマナックが古くなり、高い信号強度が観測されうる場合、デバイス１０２は、例えば、アルマナック情報をアップデートしようとしうる。同様に、特徴付けられた環境では、デバイス１０２は、例えば、デバイスおよび／または他のデバイスがアルマナック情報を容易に読み込めると予測されるとき、日中または夜中のある時間にアルマナック情報をダウンロードしようとしうる。特定の例では、複数のデバイスが日中または夜中の同じ時間を選択するのを避けるために、それは、例えば、１つまたは複数のデバイスが使用するために、オフピーク時間からランダムまたはデバイス固有のオフセットが追加されることを可能にしうる。
【００６５】
[0070]また別の例の実装では、デバイス１０２が特定の高電力モードで動作する場合に、デバイス１０２は、（例えば、ある閾値距離だけ離れ、異なる送信プラットフォーム上でインストールされたアンテナを有し、異なる地理的座標を有する、等の）互いに同一の場所に配置されていない２つ以上の地上ベース送信機によって送信された２つ以上の信号から２つ以上の位相値を取得しうる。その後、デバイス１０２は、例えば、プロフィールテストが２つ以上の位相値に少なくとも部分的に基づいて満たされるかどうか決定することを試みうる。例えば、特定の例では、少なくともそのような２つの位相値間の差に基づいてプロフィールテストが満たされるかどうか決定しうる。
【００６６】
[0071]さらなる例示の目的で、特定の例では、デバイスは、２〜３例を挙げると、例えば、ペットの首輪、衣類の種目、子供用のリュックサック、貯蔵または運送用コンテナ、乗り物、機械のような様々なオブジェクト内にインストールされるまたは添付される、例えば、アセット追跡デバイス、タグのような電子ロケーション追跡デバイスの様々な形式を備える。
【００６７】
[0072]さらに他の例示の実装にしたがって、例えば、中間電力モードまたは同様のモードのような動作モードは、１つまたは複数の環境センサ１２２から取得されるべき１つまたは複数の属性値を考慮するデバイス１０２において提供されうる。しかしながら、そのような例示の中間電力モードは、本明細書に記述される他の中間電力モードがするような受信機をイネーブルにしえない。したがって、受信機ではないが、１つまたは複数の環境センサ１２２が１つまたは複数の属性値を取得するために使用される「ドリームモード」のような例示の中間モードを参照することが有効である可能性がある。
【００６８】
[0073]例えば、装置１１６は、スケジュール、タイマ、等にしたがって低電力モード（例えば、スリープモード）から、以前に決定したために位置の不確実さが増加したかどうかを決定するために１つまたは複数の属性値が取得され使用されうる間、中間電力モード（ドリームモード）にデバイスを選択的に遷移させうる。例えば、特定の実装では、装置１１６は、ｋ秒ごとに（ここでｋ＝１、等である）低電力モードからドリームモードに送信デバイス１０２を選択的に遷移させうる。ここで、例えば、ｋは、使用可能となっているセンサのタイプに基づいて選択されうる。受信機がイネーブルになる別の例示の中間電力モードと比較すると例示のドリームモードに対する１つのなし得る利益は、ドリームモードが受信機より低い電力を使用すると同時に、さらに位置不確実性値にできる限り影響を及ぼすことができるようにイネーブルなセンサが使用されることである。位置不確実性値または他の同様なメトリックが（例えば、ある閾値、等に基づいて）十分な変化を有していないと決定することに応じて、装置１１６は、低電力モードに戻りうる（例えば、ドリームモードからスリープモードに遷移する）。しかしながら、位置不確実性値間または他の同様なエントリが十分に変化したと決定することに応じて、装置１１６は、例えば、別の中間電力モード（例えば、受信機がアクティブ化されうる）、または高電力モード（例えば、位置フィックスが取得されうる）のような、別のモードに遷移するかどうか決定しうる。
【００６９】
[0074]したがって、例えば、いわゆるドリームモードで動作するデバイスで、位置不確実性値２４０は、１つまたは複数の環境センサ１２２から取得された１つまたは複数の属性値に基づくある方法において影響されうる。例えば、ことによるとデバイスがある場所から別の場所に移動する、および／またはいくつかの方法で別の場所に移される結果として、磁気メータまたはコンパスに関する属性値が、変化しうる。例えば、気圧計、温度計、温度プローブ、および／またはそれらと同様のものに関する属性値は、ことによるとデバイス１０２がある位置から別の位置に動く、および／またはある方法で動かされる結果として変化しうる。例えば、圧力ゲージおよび／または（例えば、１つまたは複数の慣性センサ１２０をおそらく含む）それと同様なものに関する属性値は、ことによるとデバイス１０２が動かされるおよび／またはさもなければある方法で操作される結果として変化しうる。さらに別の例では、サウンドトランスデューサ、カメラ、または他の光センサ、および／またはこれらと同様なものに関する属性値は、ことによるとデバイスがある場所から別の場所に動かされるおよび／またはある方法で移転される結果として変化しうる。
【００７０】
[0075]「一例」、「ある例」、「特定の例」、または「例示的な実装」への本明細書を通じての参照は、特性および／または例に関して説明された特定の特性、構造、または特徴が、請求される主題の少なくとも１つの特性および／または例に含まれうることを意味する。したがって、本明細書を通じて様々な場所にある「一例では」、「ある例」、「特定の例では」、または「特定の実装では」という表現または他の同様の表現の存在は、すべてが、必ずしも、同一の特性、例、および／または限定を指しているわけではない。さらに、特定の特性、構造、または特徴は、１つまたは複数の例および／または特性で組み合わせられうる。
【００７１】
[0076]本明細書で説明された方法は、特定の特性および／または例に係るアプリケーションに依存して、様々な手段によって実装されうる。例えば、そのような方法な、ソフトウェアとともに、ハードウェア、ファームウェア、および／または、それらの組み合わせで実装されうる。ハードウェアでの実装の場合、例えば、処理ユニットは、１つまたは複数の特定用途向け集積回路（ＡＳＩＣ）、デジタルシグナルプロセッサ（ＤＳＰ）、デジタル信号処理デバイス（ＤＳＰＤ）、プログラマブル論理デバイス（ＰＬＤ）、フィールドプログラマブルゲートアレイ（ＦＰＧＡ）、プロセッサ、コントローラ、マイクロコントローラ、マイクロプロセッサ、電子デバイス、本明細書で説明された機能を実行するよう設計された別のデバイスユニット、および／または、それらの組み合わせに実装されうる。
【００７２】
[0077]先の詳細な説明では、請求される主題の完全な理解を提供するために、様々な特定の詳細が示されている。しかしながら、請求される主題がこれら特定の詳細なしに実施されうることは当業者によって理解されるだろう。別の例では、当業者によって知られるであろう方法および装置が、請求される主題を曖昧にしないために、詳細に説明されている。
【００７３】
[0078]先の詳細な説明のいくつかの部分は、特定な装置または専用コンピューティングデバイスまたはプラットフォームのメモリ内に記憶されている２値デジタル電子信号上の動作のアルゴリズムまたはシンボル表現の観点から、示されている。この特定の明細書に照らして、特定の装置という用語または同様のものは、それがプログラムソフトウェアからの命令に準じた特定の機能を実行するようにプログラムされると、汎用コンピュータを含む。アルゴリズム記述子またはシンボル表現は、仕事（work）内容を他の当業者に伝達するために、信号処理または関連技術において当業者によって使用される技法の例である。アルゴリズムは、本明細書では、および一般的に、望ましい結果を導く首尾一貫した一連の動作または同様の信号処理とみなされる。この文脈では、動作または処理は、物理量の物理的な操作を含む。典型的に、必要なわけではないが、そのよう量は、情報を表す電子信号として、記憶、転送、組み合わせ、比較、または他の方法で操作されることができる電気信号または磁気信号の形態をとりうる。ビット、データ、値、エレメント、シンボル、特徴、用語、数、番号、情報、または、同様のものとしてそのような信号を参照することが、主に共通使用の理由で、時折便利であることが証明されている。しかしながら、これらまたは同様の用語はすべて、適切な物理量に関連付けられるべきであり、単に便利なラベルであることは理解されるべきである。別途明記されない限り、以下の説明から明らかなように、本明細書を通じて、「処理する」、「計算する」、「算出する」、「決定する」、「確立する」、「取得する」、「識別する」、「維持する」のような用語、および／または、同様のものを使用した説明が、専用コンピュータまたは同様の専用電子コンピューティングデバイスのような特定の装置の動作またはプロセスを指すことは認識される。したがって、本明細書に照らして、専用コンピュータまたは同様の専用電子コンピューティングデバイスは、典型的に、専用コンピュータまたは同様の専用電子コンピューティングデバイスのメモリ、レジスタ、または他の情報記憶デバイス、送信デバイス、またはディスプレイデバイス内の物理的な電子量または磁気量として表される信号を操作または変換することができる。この特定の特許出願に照らして、「特定の装置」という用語は、それがプログラムソフトウェアからの命令に準じた特定の機能を実行するようにプログラムされると、汎用コンピュータを含みうる。
【００７４】
[0079]本明細書で使用される場合、「および」、「または」、「および／または」という用語は、そのような用語が使用される内容に少なくとも部分的に依存することも予期されうる様々な意味を含みうる。典型的に、Ａ、Ｂ、または請求項など、「または」がリストを関連付けるために使用される場合、Ａ、Ｂ、および請求項、ここでは包括的な感覚で使用される、を意味し、同様に、Ａ、Ｂ、または請求項、ここでは排他的な感覚で使用される、を意味することが意図される。加えて、本明細書で使用される場合、「１つ以上（の）」という用語は、任意の特性、構造、または特徴を単数形で説明するために使用されうるか、または、複数の特性、構造、または特徴、あるいは、それらのある他の組み合わせを説明するために使用されうる。しかしながら、これは、単なる例示的な例であり、請求される主題がこの例に限定されないことに注意されたい。
【００７５】
[0080]例示的な特性であるとここで考えられている内容が例示および説明されているが、請求される主題から逸脱することなく、様々な他の変更がなされうること、および、同等物が代用されうることは当業者によって理解されるであろう。加えて、本明細書で説明された主要な概念から逸脱することなく、特定の状況を請求される主題の教示に適用するために、多くの変更がなされうる。
【００７６】
[0081]よって、請求される主題が、開示された特定の例に限定されるものではないこと、しかしながら、そのような請求される主題はまた、添付の請求項の範囲内にあるすべての態様およびその同等物を含みうること、が意図される。
【図１】
2015507402.tif 000003
【図２】
2015507402.tif 000004
【図３】
2015507402.tif 000005
【図４】
2015507402.tif 000006
【図５】
2015507402.tif 000007
【図６】
2015507402.tif 000008
【国際調査報告】
2015507402.tif 000009
2015507402.tif 000010
2015507402.tif 000011
2015507402.tif 000012
2015507402.tif 000013